(57)【特許請求の範囲】
【請求項１】
錠本体のフロント板から突出させたスライダの先端部を、引戸の閉鎖とともにストライク板に当接することで錠本体内に後退させ、該スライダの後退に連動させて前記フロント板から突出させたカマ鉤を、前記ストライク板のカマ進入穴に係合させる引戸用施解錠装置であって、
外周にラッチ爪を有し前記錠本体の側板に回動自在に支持されるとともに、前記スライダに連結されて該スライダの進退に従動して回動されるラッチ板と、
前記錠本体の側板にスライド自在に案内され、前記ラッチ板に近接する方向となるスライド方向の一端側に解除板用付勢部材によって付勢される係止解除板と、
係止片を有し前記錠本体の側板に回動自在に支持され前記スライダの後退に従動して回動された前記ラッチ板のラッチ爪に前記係止片を係止して前記ラッチ板の回動を規制する一方、前記係止解除板のスライドに従動して回動され前記ラッチ爪に対する前記係止片の係止を解除する係止板と、
を具備するとともに、
前記スライダに形成された階段状の係止段部と、
前記錠本体に揺動自在に設けられ前記スライダの後退に伴って前記係止段部に段階的に係止して該スライダの前進を阻止するロック板と、
前記カマ鉤に形成され前記錠本体の側板に固定された固定ピンに係合して前記カマ鉤を回動かつ直線移動可能に支持する長穴と、
前記カマ鉤に設けられ前記スライダに係合して前記スライダの進退に応じて該カマ鉤を従動させる連動ピンと、
連続する曲部と直線部とを有して前記錠本体の側板に形成され、前記連動ピンを摺動自在に係合することで前記スライダに従動する前記カマ鉤を回転させて前記フロント板から突出させた後に直線移動させて前記錠本体内に引き込むように移動規制する本体案内孔と、
を具備し、
前記スライダが後退することで回動する前記ラッチ板のラッチ爪が、前記係止板の係止片に係止することで前記ラッチ板の回動が規制され、該ラッチ板を介して前記スライダの前進を規制して、前記カマ鉤の回動が阻止され前記ストライク板に対して係合状態となるとともに、
前記スライダの後退に従動して前記カマ鉤が、前記固定ピンを中心に前記連動ピンが前記曲部に沿って回転することで前記フロント板から突出し、前記ストライク板の進入穴に係合した後に、前記固定ピンに対して前記長穴が沿い、且つ前記直線部に沿う前記連動ピンにて前記カマ鉤を直線移動させ、前記スライダとともに、突出して係合状態となっている前記カマ鉤を前記錠本体内に引き込むことを特徴とする引戸用施解錠装置。
【発明の詳細な説明】
【０００１】
【発明の属する技術分野】
本発明は、引戸を閉めると自動的にカマ鉤が出て施錠状態となる引戸用施解錠装置に関し、さらに詳しくは、施錠状態及び解錠状態に関わらず引戸を閉鎖させた状態に保持させることのできる改良技術に関する。
【０００２】
【従来の技術】
例えば引戸用施解錠装置には、引戸を閉めた後に、引戸に設けられた錠本体からカマ鉤を突出させ、このカマ鉤を引戸の縦框が当接する縦枠に設けた引戸用ストライク板に係合させることで、引戸を開放不能に施錠するものがある。
【０００３】
この種の引戸用施解錠装置は、錠本体に、揺動自在なカマ鉤を設け、このカマ鉤をフロント板から突出される構成とされ、カマ鉤にサムターンなどが連動連結されている。
【０００４】
従って、引戸を閉め、錠本体のサムターンなどを操作することで、これに従動して錠本体のフロント板からカマ鉤が回動されて突出されることになる。引戸用施解錠装置は、このカマ鉤を、ストライク板のカマ進入穴に係合することで、引戸を開放不能に施錠することができた。
【０００５】
【発明が解決しようとする課題】
上記した従来の引戸用施解錠装置は、一般的にストライク板に当接するトリガーボルトを備えており、このトリガーボルトの進退状態で、施錠モードと、非施錠モードとの切り換えが行われるようになっている。
すなわち、トリガーボルトが錠本体内に後退される状態を施錠モードとし、カマ鉤が揺動自在となることから、サムターンなどにより施錠操作が行える。一方、トリガーボルトがバネなどの付勢部材によって錠本体より突出する状態を非施錠モードとし、カマ鉤が揺動自在とならないよう掛止状態となり、サムターンなどによる施錠操作を不可能にする。
【０００６】
従って、単に引戸を閉めた状態では、カマ鉤が自動的に突出しないことから、引戸は、開閉が自在な状態となる。この引戸に、開閉が容易となるように摺動を軽くする構造、例えば戸車などを設けた場合、ストライク板に当接する上記したトリガーボルトを突出付勢するバネの付勢力が大きいと、この付勢力によりトリガーボルトは常に突出する状態を保つことから、引戸を閉鎖しても、その付勢力（反発力）により引戸が閉鎖方向と反対方向に押し戻される不具合が発生する。
【０００７】
本発明は上記状況に鑑みてなされたもので、引戸を閉鎖した際に、その閉鎖状態に仮保持できる引戸用施解錠装置を提供することを目的とする。
【０００８】
【課題を解決するための手段】
次に、上記の課題を解決するための手段を、実施の形態に対応する図面を参照して説明する。
この発明の請求項１記載の引戸用施解錠装置１は、錠本体Ｂのフロント板３１から突出させたスライダ３７の先端部４７を、引戸５の閉鎖とともにストライク板Ａに当接することで錠本体内に後退させ、該スライダ３７の後退に連動させて前記フロント板３１から突出させたカマ鉤１５を、前記ストライク板Ａのカマ進入穴２５に係合させる引戸用施解錠装置１であって、
外周にラッチ爪８５を有し前記錠本体Ｂの側板３９に回動自在に支持されるとともに、前記スライダ３７に連結されて該スライダ３７の進退に従動して回動されるラッチ板８１と、
前記錠本体Ｂの側板３９にスライド自在に案内され、前記ラッチ板８１に近接する方向となるスライド方向の一端側に解除板用付勢部材９７によって付勢される係止解除板９１と、
係止片１０９を有し前記錠本体Ｂの側板３９に回動自在に支持され前記スライダ３７の後退に従動して回動された前記ラッチ板８１のラッチ爪８５に前記係止片１０９を係止して前記ラッチ板８１の回動を規制する一方、前記係止解除板９１のスライドに従動して回動され前記ラッチ爪８５に対する前記係止片１０９の係止を解除する係止板１０１と、
を具備するとともに、
前記スライダ３７に形成された階段状の係止段部５１と、
前記錠本体Ｂに揺動自在に設けられ前記スライダ３７の後退に伴って前記係止段部５１に段階的に係止して該スライダ３７の前進を阻止するロック板５５と、
前記カマ鉤１５に形成され前記錠本体Ｂの側板３９に固定された固定ピン７１に係合して前記カマ鉤１５を回動かつ直線移動可能に支持する長穴６９と、
前記カマ鉤１５に設けられ前記スライダ３７に係合して前記スライダ３７の進退に応じて該カマ鉤１５を従動させる連動ピン７３と、
連続する曲部７５ａと直線部７５ｂとを有して前記錠本体Ｂの側板３９に形成され、前記連動ピン７３を摺動自在に係合することで前記スライダ３７に従動する前記カマ鉤１５を回転させて前記フロント板３１から突出させた後に直線移動させて前記錠本体内に引き込むように移動規制する本体案内孔７５と、
を具備し、
前記スライダ３７が後退することで回動する前記ラッチ板８１のラッチ爪８５が、前記係止板１０１の係止片１０９に係止することで前記ラッチ板８１の回動が規制され、該ラッチ板８１を介して前記スライダ３７の前進を規制して、前記カマ鉤１５の回動が阻止され前記ストライク板Ａに対して係合状態となるとともに、
前記スライダ３７の後退に従動して前記カマ鉤１５が、前記固定ピン７１を中心に前記連動ピン７３が前記曲部７５ａに沿って回転することで前記フロント板３１から突出し、前記ストライク板Ａのカマ進入穴２５に係合した後に、前記固定ピン７１に対して前記長穴６９が沿い、且つ前記直線部７５ｂに沿う前記連動ピン７３にて前記カマ鉤１５を直線移動させ、前記スライダ３７とともに、突出して係合状態となっている前記カマ鉤１５を前記錠本体Ｂ内に引き込むことを特徴とする。
【０００９】
この引戸用施解錠装置１では、引戸５が閉鎖され、スライダ３７の先端部４７がストライク板Ａに当接して錠本体Ｂの内部に後退されると、ラッチ板８１が回動され、ラッチ板８１のラッチ爪８５が係止板１０１の係止片１０９に係止して、ラッチ板８１の回動が規制される。つまり、スライダ３７の進退が、回動規制されたラッチ板８１を介して規制される。これにより、前進方向に付勢されるスライダ３７の付勢力によって引戸５が閉鎖方向と反対方向に移動されなくなり、引戸５が閉鎖された状態に仮保持されることになる。
この結果、スライダ３７の反発力によって、縦枠３と引戸５との間に隙間が生じなくなる。また、スライダ３７の進退が規制されることで、スライダ３７に従動するカマ鉤１５も回動が規制されるので、結果的に、ストライク板Ａに係合したカマ鉤１５が回動阻止されて、擬似的な施錠状態すなわち仮施錠状態とすることができる。
また、この仮保持状態（仮施錠状態）を解くには、係止板１０１を操作することで、係止片１０９とラッチ爪８５との係止状態を解除することで行われ、これにより引戸５が開放可能となる。
【００１１】
また、この引戸用施解錠装置１によれば、スライダ３７が後退されると、スライダ３７の係止段部５１にロック板５５が段階的に係止され、スライダ３７の前進が阻止されて行く。つまり、後退されればされる程スライダ３７が深い後退位置でロックされる。
一方、カマ鉤１５は、長穴６９を介して固定ピン７１に支持されるとともに、連動ピン７３を介してスライダ３７の進退に従動されるようになっている。また、連動ピン７３は、本体案内孔７５の曲部７５ａと直線部７５ｂとに沿って移動される。
従って、連動ピン７３が曲部７５ａを移動することで、カマ鉤１５が回転されてストライク板Ａに係合され、その後、さらにスライダ３７が後退されると、連動ピン７３が直線部７５ｂを移動して、カマ鉤１５が錠本体内に引き込まれるように直線移動される。この際、スライダ３７は、上記ロック板５５によって前進が阻止されて行く。これにより、ストライク板Ａに係合されたカマ鉤１５が錠本体Ｂ内に引き寄せられ、ストライク板Ａとカマ鉤１５とにガタツキが生じなくなる。
【００１２】
【発明の実施の形態】
以下、本発明に係る引戸用施解錠装置の好適な実施の形態を図面を参照して詳細に説明する。
図１は本発明に係る引戸用施解錠装置の外観斜視図、図２は図１に示した引戸用施解錠装置の内部側面図、図３は図１に示した引戸用施解錠装置の施錠状態の内部側面図、図４は図１に示した引戸用施解錠装置の施錠状態の内部側面図、図５はカマ鉤が引き寄せられた引戸用施解錠装置の内部側面図である。
【００１３】
本実施の形態による引戸用施解錠装置１は、縦枠３に設けられる引戸用ストライク板Ａと、引戸５に内設される錠本体Ｂとに大別して構成される。
【００１４】
ストライク板Ａは、トロヨケ７と、カマ係合金具９と、化粧板１１とから構成される。ストライク板Ａは、引戸５の縦框１３が当接する縦枠３に取り付けられ、引戸５に内蔵された錠本体Ｂから突出するカマ鉤１５にカマ係合金具９が係合される。
【００１５】
トロヨケ７は、一側面の開口した箱状の凹部１７を有している。凹部１７の上下の開口縁部には鍔部１９が延出形成され、鍔部１９にはネジ穴が形成されている。トロヨケ７は、凹部１７が縦枠３に凹設され、鍔部１９が縦枠３の戸当たり面に平行になるように取り付けられる。また、凹部１７の対向する一対の側壁にはネジ挿通穴が穿設され、このネジ挿通穴にはカマ係合金具９を固定するための金具固定ネジ２１が挿通される。
【００１６】
カマ係合金具９は、長板を平行に対面させた一対の脚部２２を有している。脚部２２は、長手方向の寸法が、凹部１７の上下方向の内寸と略同一長に形成される。
また、脚部２２は、下端部が凹部１７の幅方向の内寸と略同等に形成される一方、上端部がそれより狭い幅で形成されている。脚部２２の板幅は、凹部１７の深さ方向の内寸と略同等に形成される。
【００１７】
脚部２２の上端部にはＵ字状に屈曲された掛合部２３が架橋される。つまり、一対の脚部２２は、この掛合部２３によって一体に連結されている。従って、カマ係合金具９は、脚部２２が凹部１７に収容された状態で、掛合部２３のみが凹部１７から突出するようになっている。
【００１８】
それぞれの脚部２２の下端部にはネジ穴が形成されている。このネジ穴には凹部１７に挿通された金具固定ネジ２１が螺合される。従って、トロヨケ７とカマ係合金具９とは、この金具固定ネジ２１によって一体固定される。
【００１９】
化粧板１１には、カマ係合金具９の掛合部２３を貫通させかつ引戸５の縦框１３から突出されるカマ鉤１５を凹部１７へ進入させるためのカマ進入穴２５が形成されている。
カマ進入穴２５は、略上半部が、カマ係合金具９の掛合部２３の幅と略同一に形成され、略下半部が、カマ鉤１５の厚みと略同一に形成されている。つまり、カマ鉤１５は、このカマ進入穴２５の下半部から先端が凹部１７内に進入した後、掛合部２３の背面に係合するようになっている。
【００２０】
カマ進入穴２５の下半部の対向する一対の縁部には、凹部１７内の方向に向けて折り曲げられた折曲部２７がそれぞれ形成されている。この折曲部２７は、凹部１７に収容された脚部２２の内側に突出され、凹部１７の内壁とで脚部２２をそれぞれ挟むように配置される。
【００２１】
化粧板１１には上下一対の取付穴が穿設されている。化粧板１１は、この取付穴に挿通された化粧板固定ネジ２９をトロヨケ７及び縦枠３に挿着し螺合させることで、縦枠３に略面一に固定される。カマ係合金具９は、上記の金具固定ネジ２１と化粧板１１とで、トロヨケ７の凹部１７からの脱落が二重に阻止されている。なお、図２に示すように、縦枠３に取り付けられて状態で、カマ係合金具９の掛合部２３が化粧板１１の表面よりも突出する。
【００２２】
一方、錠本体Ｂは、引戸５の端部に内設される。錠本体Ｂにはフロント板３１が取り付けられ、フロント板３１は縦框１３と面一となるようにフロント板固定ネジ３３によって取り付けられている。このフロント板３１にはカマ鉤１５及び後述のトリガー部４７を突出させるための開口部３５が穿設されている。
【００２３】
錠本体Ｂの内部には、スライダ３７が、引戸５の開閉方向と同方向にスライド自在に設けられている。スライダ３７は、錠本体Ｂの側板３９に形成された第一ガイド穴４３、第二ガイド穴４５によってスライド自在に側板３９に支持される。
【００２４】
スライダ３７の先端部は、トリガー部４７となり、上記したフロント板３１の開口部３５から突出可能となっている。スライダ３７と錠本体Ｂの後壁との間にはスライダ付勢バネ４９が設けられ、スライダ付勢バネ４９はトリガー部４７を突出させる方向にスライダ３７を付勢している。
【００２５】
このスライダ３７の上縁には、スライダ３７の先端方向に向かって下り傾斜となる階段状の係止段部５１が形成されている。本実施の形態における係止段部５１は、四つの段部５１ａ，５１ｂ，５１ｃ，５１ｄからなる。
【００２６】
錠本体Ｂの内部には側板３９に固定された軸５３を中心に回動自在となったロック板５５が設けられている。ロック板５５の回動先端には係止爪５７と、解除爪５９が形成されている。ロック板５５は、ロック板付勢バネ６１によって係止爪５７がスライダ３７の上縁５１ｅに当接する方向に付勢されている。
【００２７】
従って、ロック板５５は、スライダ３７が、錠本体Ｂの内部に後退する方向に移動されることで、係止爪５７が係止段部５１に段階的に係止するようになっている。つまり、スライダ３７は、スライダ付勢バネ４９の付勢力に抗して錠本体Ｂ内に押し込められることで、ロック板５５の係止爪５７が下方の段部５１ａ，５１ｂ，５１ｃ，５１ｄへと順次に係止して行き、前進方向の復帰が阻止されるようになっている。
【００２８】
錠本体Ｂの内部には施解錠切換板６３が上下方向にスライド自在に設けられ、施解錠切換板６３は上下に長い係合穴６５をロック板５５の解除爪５９に係合させている。施解錠切換板６３は、側板３９に形成された上下方向に長い第三ガイド穴６７によって上下方向に移動自在に支持される。
【００２９】
この施解錠切換板６３は、引戸５の表面に表出される図示しない操作部、例えばスライドレバーや揺動レバー等に連動連結され、この操作部を操作することにより、上下方向に摺動されるようになっている。また、施解錠切換板６３は、切換板用バネ６８によって上端又は下端の一方に付勢されるようになっている。
本実施の形態の引戸用施解錠装置１は、この施解錠切換板６３が上端に配置されることで非施錠モード（図２，図３の状態）となり、施解錠切換板６３が下端に配置されることで施錠モード（図４，図５の状態）となる。
【００３０】
施解錠切換板６３が上端位置にあるときは、ロック板５５が上方位置となって係止爪５７と係止段部５１とが係合しない状態を保ち、また、施解錠切換板６３が下端位置にあるとき、係止段部５１に係止爪５７を係止したロック板５５は、施解錠切換板６３が上方へ摺動操作されることにより、係止爪５７が係止段部５１から上方に外され、スライダ３７との係止が解除されるようになっている。ロック板５５による係止が解除されたスライダ３７は、スライダ付勢バネ４９の付勢力によって再びフロント板３１から突出されることになる。
【００３１】
錠本体Ｂの内部には、スライダ３７の下方に、上記したカマ鉤１５が設けられている。カマ鉤１５には長穴６９が穿設され、カマ鉤１５はこの長穴６９に、側板３９に固定された固定ピン７１が挿通されることで、回動かつ直線移動可能に側板３９に支持されている。
【００３２】
カマ鉤１５には連動ピン７３が設けられている。この連動ピン７３は、スライダ３７の下縁に形成された連動凹部３７ａに係合されている。カマ鉤１５は、連動ピン７３を連動凹部３７ａに係合させることで、スライダ３７の進退に従動するようになっている。
【００３３】
錠本体Ｂの側板３９には、略円弧状の曲部７５ａと直線部７５ｂとが連続して形成される本体案内孔７５が形成されている。この本体案内孔７５には上記した連動ピン７３が係合されている。すなわち、連動ピン７３は、スライダ３７の進退によってカマ鉤１５を従動させるとともに、この本体案内孔７５に沿って移動される。
【００３４】
カマ鉤１５は、連動ピン７３が、曲部７５ａを移動する際、固定ピン７１を中心に図中時計回り方向に約９０°回動され、先端爪１５ａがフロント板３１から突出される。また、カマ鉤１５は、連動ピン７３が直線部７５ｂを移動する際、固定ピン７１に対して長穴６９の長手方向に移動され、錠本体Ｂの内部に引き込まれるように移動される。
【００３５】
錠本体Ｂの側板３９にはラッチ板８１が設けられている。ラッチ板８１は側板３９に固定されたラッチ回動ピン８３によって回動自在に支持されている。
このラッチ板８１の外周には、回動方向に並んだ複数のラッチ爪８５が形成されている。また、ラッチ板８１には長穴であるラッチ穴８７が形成され、ラッチ穴８７にはスライダ３７に突設されたスライダピン８９が係合されている。
【００３６】
つまり、ラッチ板８１は、スライダピン８９を介してスライダ３７に連結され、スライダ３７の進退に従動して回動されるようになっている。また、逆に、スライダ３７は、ラッチ板８１が回動規制されることによって、スライドが阻止されるようになっている。
【００３７】
また、ラッチ板８１の下方に位置して、錠本体Ｂの側板３９には係止解除板９１が設けられている。係止解除板９１は側板３９に固定された解除板ガイドピン９３に長穴である解除板スライド穴９５を介して図２中上下方向にスライド自在に支持されている。なお、この係止解除板９１は、図示しないが、引戸５の表面に表出される操作レバーや操作スライダに連動連結され、操作されるようになっている。
【００３８】
錠本体Ｂの下縁と係止解除板９１との間には解除板用付勢部材としての解除板用バネ９７が配設されている。解除板用バネ９７は解除板スライド穴９５の長手方向一端（図１に示す解除板スライド穴９５の下端）が解除板ガイドピン９３に当接する位置に係止解除板９１を付勢させ、この係止解除板９１をラッチ板８１に近接する方向へ付勢するようになっている。
【００３９】
また、錠本体Ｂの側板３９には、係止板回動ピン１０３によって基端側が回動自在に支持されている係止板１０１が設けられている。係止板１０１は、先端側が係止解除板９１に重なっている。係止板１０１の先端側には係止板ピン１０５が突設され、係止板ピン１０５は係止解除板９１に形成された係止板連結穴１０７に係合されている。つまり、係止板１０１は、係止板ピン１０５を介して係止解除板９１に連結され、係止解除板９１の上下方向のスライドに従動して揺動するようになっている。
【００４０】
係止板１０１の先端側上縁には、係止片１０９が一体に設けられている。この係止片１０９は、スライダ３７の後退に従動して回動されたラッチ板８１のラッチ爪８５に係止するようになっている。
ラッチ板８１は、ラッチ爪８５が係止片１０９に係止されることで、回動が規制される。従って、スライダ３７は、回動が規制されたラッチ板８１によってスライドが阻止される。係止板１０１は、係止解除板９１がスライドされると、係止板ピン１０５を介して回動され、ラッチ爪８５への係止片１０９の係止を解除するようになっている。
【００４１】
次に、このように構成される引戸用施解錠装置１の作用を説明する。
先ず、施解錠切換板６３が非施錠モードとなっている場合、すなわち、引戸５を閉鎖した際に、この引戸５が閉鎖状態を保つ仮施錠状態を説明する。
【００４２】
図２に示すように、引戸５の未閉鎖時には、スライダ付勢バネ４９の付勢力によって、スライダ３７が図中左側に付勢され、フロント板３１からトリガー部４７が突出された状態となる。
一方、図１に示すように、ストライク板Ａからは、トリガー部４７に対応する位置で、カマ係合金具９の掛合部２３が突出されている。
【００４３】
この状態で、カマ鉤１５は、連動ピン７３が曲部７５ａの図２中左端に位置しており、錠本体Ｂの内部に収容状態となる。
【００４４】
引戸５が閉鎖方向へ移動されると、トリガー部４７がカマ係合金具９の掛合部２３に当接する。
【００４５】
さらに引戸５が閉鎖方向へ移動されると、トリガー部４７が掛合部２３に押圧され、図３に示すように、スライダ３７がスライダ付勢バネ４９に抗して錠本体Ｂの内側に後退される。
【００４６】
スライダ３７が後退されると、スライダ３７の連動凹部３７ａに係合されたカマ鉤１５の連動ピン７３が曲部７５ａに沿って移動され、カマ鉤１５が固定ピン７１を中心に図中時計回り方向に回動される。
スライダ３７がさらに後退され、図３に示すように、連動ピン７３が曲部７５ａの右端に到達すると、カマ鉤１５が水平状態となる。
【００４７】
これにより、図３に示すように、カマ鉤１５は、先端爪１５ａを掛合部２３の背面に係合させた状態となる。
この際、ロック板５５は、図２，３に示すように、解除爪５９が施解錠切換板６３に係合されていることから、回動が規制され、係止爪５７が段部５１ａに係止されない。一方、ラッチ板８１は、スライダピン８９を介して図中時計回り方向に回動され、ラッチ爪８５が係止板１０１の係止片１０９に係止される。従って、スライダ３７は、ラッチ板８１を介して係止板１０１に係止されて前進方向の移動が阻止される。
以上で引戸５は、閉鎖状態を保持され、仮施錠状態となる。
【００４８】
なお、この状態から、さらに引戸５が閉鎖方向へ移動されると、スライダ３７がカマ係合金具９の掛合部２３によってさらに錠本体Ｂの内部へ押し込まれることになる。すると、ラッチ板８１もさらに図中時計回り方向に回動され、外周に形成された複数のラッチ爪８５を係止片１０９に順次係止させて行く。
【００４９】
このスライダ３７の錠本体Ｂ奥方（図中右方）への移動に伴って、カマ鉤１５は、連動ピン７３が本体案内孔７５の直線部７５ｂに沿って移動されるとともに、固定ピン７１に対して長穴６９の長手方向へ水平移動され、錠本体Ｂの内部へと引き込まれることになる。
【００５０】
この非施錠モードにおける仮施錠状態おいて、カマ係合金具９とカマ鉤１５との係合を解除するには、係止解除板９１を下方へスライドさせる操作を行う。すると、スライドに連動して係止板１０１が図中反時計回り方向に揺動され、係止片１０９のラッチ爪８５への係止が解除される。
これにより、スライダ３７は、ラッチ板８１を介した係止板１０１との係止が解除され、スライダ付勢バネ４９の付勢力により、トリガー部４７を突出させる方向に移動される。
【００５１】
同時に、連動凹部３７ａに係合した連動ピン７３が、曲部７５ａの左方に移動され、カマ鉤１５が反時計回りに回動され、カマ係合金具９との係合が解除されて、図２に示すように、錠本体Ｂの内部に再び収容される。
これにより、ストライク板Ａと錠本体Ｂとの仮施錠が解除され、引戸５が再び開放可能となる。
【００５２】
なお、この非施錠モードの際に、引戸５を閉鎖させ、仮施錠状態とした後に、施解錠切換板６３を操作し、下方にスライド移動させると、ロック板５５がロック板付勢バネ６１の付勢力により、図４及び５に示すように、図中時計回り方向に回動され、係止爪５７が段部５１に係止される。これによって、スライダ３７は、前進方向の移動が阻止されることとなる。また、スライダ３７に、連動ピン７３を介して従動するカマ鉤１５も、図中反時計回り方向への回動が阻止されることになる。
【００５３】
つまり、スライダ３７は、ロック板５５と係止板１０１の双方に係止されて前進方向の移動が阻止される。すなわち、引戸５は、カマ鉤１５を介してストライク板Ａに施錠されることになる。
【００５４】
次に、施解錠切換板６３が施錠モードとなっている場合、すなわち、引戸５を閉鎖した際に、この引戸５が施錠状態となる場合を説明する。
この施錠モードは、予め、施解錠切換板６３を下方にスライド操作しておくことで施錠モード状態となる。
【００５５】
引戸５の未閉鎖時には、スライダ付勢バネ４９の付勢力によって、スライダ３７が図中左側に付勢され、フロント板３１からトリガー部４７が突出された状態となる（図２参照）。
一方、図１に示すように、ストライク板Ａからは、トリガー部４７に対応する位置で、カマ係合金具９の掛合部２３が突出されている。
【００５６】
この状態で、カマ鉤１５は、連動ピン７３が曲部７５ａの図中左端に位置しており、錠本体Ｂの内部に収容状態となる。
【００５７】
引戸５が閉鎖方向へ移動されると、トリガー部４７がカマ係合金具９の掛合部２３に当接する。
【００５８】
さらに引戸５が閉鎖方向へ移動されると、トリガー部４７が掛合部２３に押圧され、図４に示すように、スライダ３７がスライダ付勢バネ４９に抗して錠本体Ｂの内側に後退される。
【００５９】
スライダ３７が後退されると、スライダ３７の連動凹部３７ａに係合されたカマ鉤１５の連動ピン７３が曲部７５ａに沿って移動され、カマ鉤１５が固定ピン７１を中心に図中時計回り方向に回動される。
スライダ３７がさらに後退され、図４に示すように、連動ピン７３が曲部７５ａの右端に到達すると、カマ鉤１５が水平状態となる。
【００６０】
これにより、図４に示すように、カマ鉤１５は、先端爪１５ａを掛合部２３の背面に係合させた状態となる。
この状態で、ロック板５５がロック板付勢バネ６１の付勢力により、図中時計回り方向に回動され、係止爪５７が段部５１に係止される。これによって、スライダ３７は、前進方向の移動が阻止される。
【００６１】
また、スライダ３７に、連動ピン７３を介して従動するカマ鉤１５も、図中反時計回り方向への回動が阻止されることになる。すなわち、引戸５は、カマ鉤１５を介してストライク板Ａに施錠されることになる。
【００６２】
同時に、スライダピン８９を介してラッチ板８１が図４中時計回り方向に回動され、ラッチ板８１のラッチ爪８５に、係止板１０１の係止片１０９が係止する。
【００６３】
つまり、スライダ３７は、ロック板５５と係止板１０１の双方に係止されて前進方向の移動が阻止され施錠状態となり、この施錠モードにおいては、引戸５を閉鎖させるのみの動作で、自動的に施錠が行えることとなる。
【００６４】
この状態から、さらに引戸５が閉鎖方向へ移動されると、図５に示すように、スライダ３７がカマ係合金具９の掛合部２３によってさらに錠本体Ｂの内部へ押し込まれることになる。
すると、スライダ３７の係止段部５１が図中右方へ移動するため、ロック板５５は、係止爪５７を順次下方の段部５１ｂ，５１ｃ，５１ｄへと係止して行く。また、ラッチ板８１もさらに図中時計回りに回動され、外周に形成された複数のラッチ爪８５を係止片１０９に順次係止させて行く。
【００６５】
このスライダ３７の図５中右方への移動に伴って、カマ鉤１５は、連動ピン７３が本体案内孔７５の直線部７５ｂに沿って移動されるとともに、固定ピン７１に対して長穴６９の長手方向へ水平移動され、図５に示すように、錠本体Ｂの内部へと引き込まれることになる。
【００６６】
一方、カマ係合金具９とカマ鉤１５との係合を解除する、すなわち解錠操作を行うには、先ず、施解錠切換板６３を上方へと移動させる。
施解錠切換板６３が上方へスライド移動されると、係合穴６５に係合された解除爪５９を介してロック板５５が図中反時計回りに回動され、これにより係止爪５７が係止段部５１から外されることになる。
これにより、ロック板５５とスライダ３７との係止が解除される。
【００６７】
次いで、係止解除板９１が下方へスライドされると、係止板１０１が図中反時計回りに回動され、係止片１０９のラッチ爪８５への係止が解除される。
これにより、スライダ３７は、ロック板５５と、ラッチ板８１を介した係止板１０１との係止がともに解除される。
従って、スライダ３７は、スライダ付勢バネ４９の付勢力により、トリガー部４７を突出させる方向に移動される。
【００６８】
同時に、連動凹部３７ａに係合した連動ピン７３が、曲部７５ａの図中左方に移動され、カマ鉤１５が図中反時計回りに回動され、カマ係合金具９との係合が解除されて、図２に示すように、錠本体Ｂの内部に再び収容される。
これにより、ストライク板Ａと錠本体Ｂとの施錠が解除され、引戸５が再び開放可能となる。
【００６９】
このように、上記の引戸用施解錠装置１によれば、引戸５が閉鎖され、トリガー部４７がストライク板Ａに当接して、スライダ３７が錠本体Ｂの内部に後退されると、ラッチ板８１が回動され、ラッチ板８１のラッチ爪８５が係止板１０１の係止片１０９に係止して、ラッチ板８１の回動が規制される。つまり、スライダ３７の進退が、回動規制されたラッチ板８１を介して規制される。
【００７０】
これにより、前進方向に付勢されるスライダ３７の付勢力によって引戸５が閉鎖方向と反対方向に移動されなくなり、引戸５が閉鎖された状態に保持されることになる。
この結果、スライダ３７の反発力によって、縦枠３と引戸５との間に隙間が生じなくなる。
【００７１】
また、スライダ３７の進退が規制されることで、スライダ３７に従動するカマ鉤１５も回動が規制されるので、結果的に、ストライク板Ａに係合したカマ鉤１５が回動阻止されて、擬似的な施錠状態、すなわち仮施錠状態とすることができる。
そして、上記施錠モードとした場合では、ロック板５５がさらにスライダ３７に係止されて二重係止状態となり、防犯性が高められることになる。
【００７２】
また、この引戸用施解錠装置１によれば、スライダ３７が後退されると、スライダ３７の係止段部５１にロック板５５が段階的に係止され、スライダ３７の前進が阻止されて行く。つまり、後退されればされる程スライダ３７が深い後退位置でロックされる。一方、カマ鉤１５は、長穴６９を介して固定ピン７１に支持されるとともに、連動ピン７３を介してスライダ３７の進退に従動されるようになっている。また、連動ピン７３は、本体案内孔７５の曲部７５ａと直線部７５ｂとに沿って移動されるようになっている。従って、連動ピン７３が曲部７５ａを移動することで、カマ鉤１５が回転されてストライク板Ａに係合され、その後、さらにスライダ３７が後退されると、連動ピン７３が直線部７５ｂを移動して、カマ鉤１５が錠本体内に引き込まれるように直線移動される。この際、スライダ３７は、上記ロック板５５によって前進が阻止されて行く。これにより、ストライク板Ａに係合したカマ鉤１５を、錠本体内に引き寄せることができ、ストライク板Ａとカマ鉤１５とのガタツキをなくすことができ、縦枠３と引戸５との間の隙間（チリ）を小さくすることが可能となる。
【００７３】
そして、カマ係合金具９の掛合部２３がストライク板Ａから突出されているので、引戸５が閉められると、カマ係合金具９がスライダ３７に当接し、さらに引戸５が閉められると、スライダ３７がカマ係合金具９に押圧されて、カマ係合金具９とともに錠本体Ｂに押し込まれる。この結果、カマ係合金具９とカマ鉤１５との係合部が錠本体Ｂの内部で隠蔽され、防犯性を高めることができる。
【００７４】
なお、上述した実施の形態では、ロック板５５と係止段部５１とによるスライダ３７の移動規制と、ラッチ板８１と係止板１０１とによるスライダ３７の移動規制とを兼ね備えた構成とし、施錠モード，非施錠モードを選択できる構成として述べたが、引戸５の閉鎖状態を維持させる仮施錠状態のみを行う構成とするには、ラッチ板８１と係止板１０１との構成を備えることとすればよい。
【００７５】
また、上述した実施の形態では、引戸５の施錠を行う構成として、施解錠切換板６３を用い、ロック板５５と係止段部５１との係止状態を維持させることで施錠状態とする構成としたが、ラッチ板８１に対して係止する係止板１０１に、例えばサムターンやシリンダ錠などを連動連結する構成とすれば、カマ鉤１５の進出状態が保持され、すなわちラッチ板８１，係止板１０１，係止解除板９１にて施解錠装置を構成することが可能である。
【００７６】
【発明の効果】
以上詳細に説明したように、本発明に係る引戸用施解錠装置によれば、外周にラッチ爪の形成されたラッチ板をスライダの進退に従動して回動自在に設け、スライダの後退に従動して回動されたラッチ板に係止片を係止してラッチ板の回動を規制する係止板を設け、スライドされることによりこの係止板を回動させ、ラッチ爪への係止片の係止を解除させる係止解除板を設けたので、引戸が閉鎖され、スライダの先端部がストライク板に当接して錠本体の内部に後退されると、ラッチ板が回動され、ラッチ板のラッチ爪が係止板の係止片に係止して、ラッチ板の回動が規制される。つまり、スライダの進退が、回動規制されたラッチ板を介して規制されることになる。
これにより、前進方向に付勢されるスライダの付勢力によって引戸が閉鎖方向と反対方向に移動することを防止でき、引戸は閉鎖状態に保持することができ、すなわち施錠状態とすることが可能となる。また、スライダの反発力により縦枠と引戸との間に生じる隙間をなくすことができる。
【００７７】
また、スライダの係止段部にロック板を段階的に係止し、カマ鉤の長穴を固定ピンに係合してカマ鉤を回動かつ直線移動可能に支持し、スライダに従動させるカマ鉤の連動ピンを曲部と直線部とからなる本体案内孔に係合したので、スライダに従動させてカマ鉤をストライク板に係合させた後、さらに引戸を閉める方向に移動させることで、スライダの後退に従動させてカマ鉤を錠本体内に引き込むように直線移動させることができる。この結果、ストライク板に係合した状態のカマ鉤を錠本体内に引き寄せて施錠状態とすることができるとともに、ロック板と係止段部とによるスライダの移動規制と、ラッチ板と係止板とによるスライダの移動規制とを兼ね備えた二重の係止状態となり、ストライク板とカマ鉤とのガタツキをなくすことができ、そして、縦枠と引戸との間の隙間（チリ）を小さくすることが可能となり、防犯性が高められる。
【図面の簡単な説明】
【図１】本発明に係る引戸用施解錠装置の外観斜視図である。
【図２】図１に示した引戸用施解錠装置の内部側面図である。
【図３】図１に示した引戸用施解錠装置の施錠状態の内部側面図である。
【図４】図１に示した引戸用施解錠装置の施錠状態の内部側面図である。
【図５】カマ鉤が引き寄せられた引戸用施解錠装置の内部側面図である。
【符号の説明】
１…引戸用施解錠装置
５…引戸
１５…カマ鉤
２５…カマ進入穴
３１…フロント板
３７…スライダ
３９…側板
４７…先端部（トリガー部）
５１…係止段部
５５…ロック板
６９…長穴
７１…固定ピン
７３…連動ピン
７５…本体案内孔
７５ａ…曲部
７５ｂ…直線部
８１…ラッチ板
８５…ラッチ爪
９１…係止解除板
９７…解除板用付勢部材（解除板用バネ）
１０１…係止板
１０９…係止片
Ａ…ストライク板
Ｂ…錠本体
【図１】
0004260375.tif 000002
【図２】
0004260375.tif 000003
【図３】
0004260375.tif 000004
【図４】
0004260375.tif 000005
【図５】
0004260375.tif 000006